【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
栄養チューブの近位端から前記栄養チューブの遠位端まで流体流れを導くための栄養ルーメンを有する栄養チューブと、
ＦＯＲＳセンサの少なくともセグメントの形状再構成の情報を提供する感知データを生成するためのＦＯＲＳセンサとを備え、
前記栄養チューブ及び前記ＦＯＲＳセンサが、前記栄養チューブの前記近位端と前記ＦＯＲＳセンサの遠位端との間で延在するＦＯＲＳ栄養チューブを構成するように一体化可能であり、
前記感知データが、前記ＦＯＲＳセンサ及び前記栄養チューブの統合体から得られる、前記ＦＯＲＳ栄養チューブの少なくともセグメントの形状の情報をさらに提供する、
ＦＯＲＳ栄養チューブ・システム。
【請求項２】
前記ＦＯＲＳセンサに一体化される位置決めガイドをさらに備え、
前記ＦＯＲＳセンサ及び前記位置決めガイドが前記栄養ルーメンの中に少なくとも部分的に挿入可能であり、ここで、
前記栄養チューブが、前記栄養ルーメン内で前記ＦＯＲＳセンサ及び前記位置決めガイドの挿入状態を固定するように動作可能である近位側のＦＯＲＳセンサ・ロックをさらに有すること、及び
前記位置決めガイドが、前記栄養ルーメン内で前記ＦＯＲＳセンサ及び前記位置決めガイドの挿入状態を固定するように動作可能である遠位側のＦＯＲＳセンサ・ロックを有することの少なくとも一方である、
請求項１に記載のＦＯＲＳ栄養チューブ・システム。
【請求項３】
前記栄養チューブがナビゲーション・ルーメンをさらに有し、
前記ＦＯＲＳセンサが前記ナビゲーション・ルーメンの中に配置可能である、
請求項１に記載のＦＯＲＳ栄養チューブ・システム。
【請求項４】
前記栄養チューブの外側部分に一体化される保護スリーブをさらに備え、
前記ＦＯＲＳセンサが前記保護スリーブ内に少なくとも部分的に挿入可能である、
請求項１に記載のＦＯＲＳ栄養チューブ・システム。
【請求項５】
保護スリーブをさらに備え、
前記栄養チューブ及び前記ＦＯＲＳセンサが前記保護スリーブ内に少なくとも部分的に挿入可能である、
請求項１に記載のＦＯＲＳ栄養チューブ・システム。
【請求項６】
前記ＦＯＲＳセンサによる前記感知データの生成に反応して、解剖学的管腔内に配置されているときの前記ＦＯＲＳ栄養チューブの少なくともセグメントの形状の追跡を制御するように動作可能であるナビゲーション・コントローラをさらに備え、
前記解剖学的管腔内に配置されているときの前記ＦＯＲＳ栄養チューブの形状の前記ナビゲーション・コントローラによる追跡は、
前記ナビゲーション・コントローラが、前記解剖学的管腔内に配置されているときの前記ＦＯＲＳ栄養チューブの少なくともセグメントの形状の表示を制御するように動作可能であること、及び
前記ナビゲーション・コントローラが、前記解剖学的管腔内に配置されているときの前記ＦＯＲＳ栄養チューブに関連する少なくとも１つの測定基準の決定を制御するように動作可能であることのうちの少なくとも一方を含む、
請求項１に記載のＦＯＲＳ栄養チューブ・システム。
【請求項７】
前記解剖学的管腔内に配置されているときの前記ＦＯＲＳ栄養チューブの少なくともセグメントの形状の表示の前記ナビゲーション・コントローラによる制御は、
空間内での前記ＦＯＲＳ栄養チューブの少なくともセグメントの形状の表示、
前記ＦＯＲＳ栄養チューブを位置合わせした患者イメージ上でのオーバーレイとして前記ＦＯＲＳ栄養チューブの少なくともセグメントの形状の表示、及び
前記ＦＯＲＳ栄養チューブを位置合わせした患者モデル上でのオーバーレイとして前記ＦＯＲＳ栄養チューブの少なくともセグメントの形状の表示のうちの少なくとも１つを含む、
請求項６に記載のＦＯＲＳ栄養チューブ・システム。
【請求項８】
前記解剖学的管腔内に配置されているときの前記ＦＯＲＳ栄養チューブに関連する少なくとも１つの測定基準の決定の前記ナビゲーション・コントローラによる制御は、
前記解剖学的管腔内に配置されているときの前記ＦＯＲＳ栄養チューブの少なくともセグメントの挿入長さの決定、
前記解剖学的管腔内に配置されているときの前記ＦＯＲＳ栄養チューブの少なくともセグメントの経鼻胃の正確な配置の予測、並びに、
ＦＯＲＳセンサに関連する生理学関係のパラメータの測定のうちの少なくとも１つを含む、
請求項６に記載のＦＯＲＳ栄養チューブ・システム。
【請求項９】
栄養チューブの近位端から前記栄養チューブの遠位端まで流体流れを導くための栄養ルーメンを有する栄養チューブと、
ＦＯＲＳセンサの少なくともセグメントの形状再構成の情報を提供する感知データを生成するためのＦＯＲＳセンサとを備え、
前記栄養チューブ及び前記ＦＯＲＳセンサが、前記栄養チューブの前記近位端と前記ＦＯＲＳセンサの前記遠位端との間で延在するＦＯＲＳ栄養チューブを構成するように一体化され、
前記感知データが、前記栄養チューブ及び前記ＦＯＲＳセンサの統合体から得られる、前記ＦＯＲＳ栄養チューブの少なくともセグメントの形状の情報をさらに提供する、
ＦＯＲＳ栄養チューブ・システム。
【請求項１０】
前記ＦＯＲＳセンサに一体化される位置決めガイドをさらに備え、
前記ＦＯＲＳセンサ及び前記位置決めガイドが前記栄養ルーメンの中に少なくとも部分的に挿入され、
ここで、
前記栄養チューブが、前記栄養ルーメン内で前記ＦＯＲＳセンサ及び前記位置決めガイドの挿入状態を固定する近位側のＦＯＲＳセンサ・ロックをさらに有すること、並びに、
前記位置決めガイドが、前記栄養ルーメン内で前記ＦＯＲＳセンサ及び前記位置決めガイドの挿入状態を固定する遠位側のＦＯＲＳセンサ・ロックを有することのうちの少なくとも一方がなされている、
請求項９に記載のＦＯＲＳ栄養チューブ・システム。
【請求項１１】
前記栄養チューブがナビゲーション・ルーメンをさらに有し、
前記ＦＯＲＳセンサが前記ナビゲーション・ルーメン内に配置される、
請求項９に記載のＦＯＲＳ栄養チューブ・システム。
【請求項１２】
前記栄養チューブの外側部分に一体化される保護スリーブをさらに備え、
前記ＦＯＲＳセンサが前記保護スリーブ内に少なくとも部分的に挿入可能である、
請求項９に記載のＦＯＲＳ栄養チューブ・システム。
【請求項１３】
前記ＦＯＲＳセンサによる前記感知データの生成に反応して、解剖学的管腔内に配置されているときの前記ＦＯＲＳ栄養チューブの少なくともセグメントの形状の追跡を制御するように動作可能であるナビゲーション・コントローラをさらに備え、
前記解剖学的管腔内に配置されているときの前記ＦＯＲＳ栄養チューブの形状の前記ナビゲーション・コントローラによる追跡は、
前記ナビゲーション・コントローラが、前記解剖学的管腔内に配置されているときの前記ＦＯＲＳ栄養チューブの少なくともセグメントの形状の表示を制御するように動作可能であること、及び
前記ナビゲーション・コントローラが、前記解剖学的管腔内に配置されているときの前記ＦＯＲＳ栄養チューブに関連する少なくとも１つの測定基準の決定を制御するように動作可能であることのうちの少なくとも一方を含む、
請求項９に記載のＦＯＲＳ栄養チューブ・システム。
【請求項１４】
前記解剖学的管腔内に配置されているときの前記ＦＯＲＳ栄養チューブの少なくともセグメントの形状の表示の前記ナビゲーション・コントローラによる制御が、
空間内での前記ＦＯＲＳ栄養チューブの少なくともセグメントの形状の表示、
前記ＦＯＲＳ栄養チューブを位置合わせした患者イメージ上でのオーバーレイとして前記ＦＯＲＳ栄養チューブの少なくともセグメントの形状の表示、及び
前記ＦＯＲＳ栄養チューブを位置合わせした患者モデル上でのオーバーレイとして前記ＦＯＲＳ栄養チューブの少なくともセグメントの形状の表示のうちの少なくとも１つを含む、
請求項１３に記載のＦＯＲＳ栄養チューブ・システム。
【請求項１５】
前記解剖学的管腔内に配置されているときの前記ＦＯＲＳ栄養チューブに関連する少なくとも１つの測定基準の決定の前記ナビゲーション・コントローラによる制御が、
前記解剖学的管腔内に配置されているときの前記ＦＯＲＳ栄養チューブの少なくともセグメントの挿入長さの決定、
前記解剖学的管腔内に配置されているときの前記ＦＯＲＳ栄養チューブの少なくともセグメントの経鼻胃の正確な配置の予測、並びに、
ＦＯＲＳセンサに関連する生理学関係のパラメータの測定のうちの少なくとも１つを含む、
請求項１３に記載のＦＯＲＳ栄養チューブ・システム。